(57)【要約】【課題】  巻尺の本体に計測帯より遥かに長い紐状の計測紐を用いる事により、計測帯で一度に計測できない長さでも、計測紐に計測帯を接続させて計測する事により計測紐以下の長さであれば一度で容易に計測できる携帯性の良い巻尺とその使用方法を提供します。【解決手段】  計測帯（３）を設けた巻尺本体（１）に伸縮性の無い長い紐状の計測紐（２）を設け、その計測紐（２）に計測帯（３）を接続させて計測紐（２）の接続具（７）の値と、計測帯（３）の目盛値（８）の測定値との合計で距離を計測します。【選択図】  図１
2008026094.tif 000002
【特許請求の範囲】
【請求項１】
巻尺本体に計測帯より長い計測紐を設け、該計測紐の任意の箇所に接続具を設けて値を設定し、更に計測帯に設けた接続器に計測紐の接続具を接続させて、該接続具の値と計測帯の計測値との合計で計測することを特徴とした計測紐付き巻尺。
【請求項２】
計測紐の接続具の値と計測帯表面の目盛値を加算した加算値を計測帯に設けたことを特徴とした請求項１記載の計測紐付き巻尺。
【請求項３】
計測紐の任意の区間を着色させて、計測帯の接続器に計測紐の接続具を接続させた時に計測帯と重なる計測紐の色と同色で加算値を表記したことを特徴とした請求項１または請求項２記載の計測紐付き巻尺。
【請求項４】
計測紐に計測帯を接続させて接続具の値と、計測帯の計測値との合計で計測することを特徴とした請求項１または請求項２あるいは請求項３記載の計測紐付き巻尺の使用方法。
【発明の詳細な説明】
【技術分野】
【０００１】
本発明は、建築現場等の作業時に物の長さを計測する携帯用の巻尺に関するものです。
【背景技術】
【０００２】
建築現場等の作業時に建材等の長さを計測する事が多々あり、その為に他の作業道具と共に携帯性に優れた小型の巻尺を携帯しています。しかし、小型の巻尺では計測帯の長さよりも長い計測物の計測が発生し易く、その場合は分割して測定した長さを加算して計測するので計算ミスや測定誤差が生じ易く計測に正確性が欠ける時もあります。
【０００３】
携帯性を良くして長い計測を可能とした考案として、計測帯を長い紐状とした特開２００１−０３３２０１号公報や特開２００６−００３１８８号公報が既に一般に知られておりますが、計測帯自体が細くて表面に細かな目盛表記が難しく、細かな計測が困難で計測に正確性が欠ける事が多く一般に普及して活用されるまでに至っておりません。
【０００４】
更に、実開平０３−０３３３０１号公報の様に携帯性に優れた小型の巻尺を二つ連結する方法も一般に知られておりますが、大きさも倍となり携帯性が損なわれ、また、連結された巻尺本体の重さで計測帯が弛み、天井や壁などの計測で計測帯を一直線上に張る事が難しく計測に正確性が欠ける為、これも一般に普及して活用されるまでに至りません。
【特許文献１】特開２００１−０３３２０１号公報
【特許文献２】特開２００６−００３１８８号公報
【特許文献３】実開平０３−０３３３０１号公報
【発明の開示】
【発明が解決しようとする課題】
【０００５】
解決しようとする問題点は、巻尺に限らず携帯するには小型の物が好ましいが、小型の巻尺では計測距離が短い点や、計測帯の目盛値の文字表記が小さく読み難いという欠点が有ります。その為、実用性の面で４から５メートルの長さで計測帯の幅の広い巻尺が好まれますが、その携帯性を保ちつつ倍近い長い距離を計測できる事を課題とするものです。
【課題を解決するための手段】
【０００６】
比較的収納容積の小さな紐状の長い計測紐（２）に設けた接続具（７）の値を求め、計測地点付近では比較的短い計測帯（３）の目盛値（８）で従来と同じ様に計測する事を目的とし、計測紐（２）と計測帯（３）を接続して接続具（７）の値と、計測帯（３）表記の目盛値（８）の計測値との合計で距離を計測することを最も主要な特徴とします。
【発明の効果】
【０００７】
請求項１記載の本発明の計測紐付き巻尺によれば、収納容積の小さな計測紐（２）と短い計測帯（３）を設けた巻尺本体（１）が小型で携帯し易く、計測紐（２）の長さ以下の距離であれば従来の小型巻尺の様に分割する事なく計測できるという利点があります。
【０００８】
請求項２記載の本発明の計測紐付き巻尺によれば、接続具（７）の値と計測帯（３）の目盛値（８）を加算して計測帯（３）に加算値（９）として設けているので、加算する事なく加算値（９）の計測値を読み取るだけで容易に計測できるという利点があります。
【０００９】
また、加算値（９）を計測帯（３）の裏面に用いた場合は、図２の様に接続器（４）の凹みが上を向いて、挿入された計測紐（２）が計測物（１３）に接近して一直線上になって正確な計測が可能で、更に、係止部２（６）が計測紐（２）と計測物（１３）に挟まれて接続器（４）が接続具（７）から離れ難くなるという利点もあります。その為、以下、加算値（９）を計測帯（３）の裏面に設けた構成を前提として説明いたします。
【００１０】
請求項３記載の本発明の計測紐付き巻尺によれば、計測帯（３）と重なる計測紐（２）の任意の区間の着色と同色で加算値（９）を表記すると、複数の接続具（７）や加算値（９）を設けても計測帯（３）と重なる計測紐（２）と同色の加算値（９）の計測値を読み取る事で、容易に正確な加算値（９）を選択する事ができるという利点があります。
【００１１】
更に、計測紐（２）の異なる色の境目で小さな接続具（７）の位置が容易に確認できるという利点もあります。尚、接続具（７）や加算値（９）を複数設けた時は、接続具ａ（７ａ）や加算値ｂ（９ｂ）等と名称や番号にａやｂの符合を付加して個々に説明します。
【００１２】
請求項４記載の本発明の計測紐付き巻尺の使用方法によれば、計測紐（２）と計測帯（３）を接続して計測する事により、計測帯（３）の長さ以上でも計測紐（２）の長さ以下の距離であれば一度で容易に計測できる計測紐付き巻尺の使用方法を提供できます。
【発明を実施するための最良の形態】
【００１３】
図１の本発明の計測紐付き巻尺の実施説明図で説明しますと、従来の巻尺と同様に表面に距離を計測する目盛値（８）と共に目盛表記した計測帯（３）を持つ巻尺本体（１）に、魚釣りのリール構造の様な巻き取り機構を持った計測紐（２）を設けた構造とします。
【００１４】
計測紐（２）は伸縮性の無い長い紐状として、任意の箇所に魚釣り錘の噛み潰しの様な小さな接続具（７）を必要に応じて幾つか設けます。また、従来の巻尺の計測帯に設けた係止部の様に計測紐（２）の外側一端に係止部１（５）を設けた構造とします。
【００１５】
計測帯（３）は、外側一端にＬ字型に設けた係止部２（６）にＶ字型凹部状の接続器（４）を設けて、その接続器（４）に計測紐（２）を挿入して、図２の接続器（４）と接続具（７）の接続図の様に、接続器（４）の凹みより大きな接続具（７）を引っ掛けて接続器（４）と接続具（７）が接続できる構造とします。この時、接続器（４）の任意の箇所に磁石を設け、接続具（７）に鉄材を用いると接続し易く、また、外れ難くなります。
【実施例１】
【００１６】
本例は本願の請求項１の一例で、計測帯（３）の長さが３メートル位で計測紐（２）の長さが９メートル位として、係止部１（５）の目盛基点から３メートルの位置に接続具ａ（７ａ）があり、６メートルの位置に接続具ｂ（７ｂ）がある巻尺本体（１）を例とし、計測基点と計測地点の間の計測箇所が６メートル以下の計測例で使用方法を説明します。
【００１７】
計測箇所が計測帯（３）単体で計測できる３メートル以下の場合は、従来と同じ方法で計測帯（３）の係止部２（６）を計測基点に固定して計測帯（３）表面の目盛値（８）で計測地点の距離を計測します。また、計測箇所が３メートルを超え６メートル以下の場合は、先ず、計測紐（２）の係止部１（５）を計測基点に固定して、巻尺本体（１）から計測紐（２）を引き出しながら巻尺本体（１）を手に持って計測地点方向に移動します。
【００１８】
計測紐（２）を引き出して最初の接続具ａ（７ａ）が出てきたら計測帯（３）の係止部２（６）に設けた接続器（４）に接続具ａ（７ａ）を図２の様に接続させ、巻尺本体（１）から計測紐（２）と計測帯（３）を同時に引き出しながら計測地点方向に移動します。
【００１９】
尚、計測紐（２）に設けた接続具ａ（７ａ）の正確な位置は、上記の様に係止部２（６）の接続器（４）に接続した時、係止部２（６）の目盛基点の位置が係止部１（５）の目盛基点から３メートルの位置になる様に設定して、同時に接続具ａ（７ａ）の値が３メートルと設定します。同様に接続具ｂ（７ｂ）の正確な位置も接続器（４）に接続した時、係止部２（６）の目盛基点の位置が係止部１（５）の目盛基点から６メートルの位置になる様に設定し、同時に接続具ｂ（７ｂ）の値も６メートルに設定します。
【００２０】
接続器（４）と接続具ａ（７ａ）が外れない様に計測紐（２）と計測帯（３）を引き出して計測地点まで伸ばし、計測紐（２）と計測帯（３）が一直線上に成る様に張って計測帯（３）表面の目盛値（８）で計測した計測値に、接続具ａ（７ａ）の値の３メートルを加えて計測箇所の距離を算出します。また、計測箇所が６メートルを超えて９メートル以下の接続具ｂ（７ｂ）を用いた場合も同様に、計測帯（３）表面の目盛値（８）で計測した計測値に接続具ｂ（７ｂ）の値の６メートルを加えて計測箇所の距離を算出します。
【実施例２】
【００２１】
本例は本願の請求項２の一例で、実施例１の様に接続器（４）に接続具ａ（７ａ）を接続させて計測する場合に、上記の様に算出する事なく計測帯（３）の裏面に用いた加算値（９）で計測地点を計測します。その為、加算値（９）は、表面の目盛値（８）の値に接続具（７）の値を加えた値で計測帯（３）の裏面に表記し、今回の場合は表面の目盛値（８）に接続具ａ（７ａ）の値の３メートルを加えた値が加算値ａ（９ａ）と成ります。
【００２２】
図３の複数加算値（９）の読み取り説明図で説明しますと、表面の目盛値（８）が１．５メートルの場合、同じ位置の裏面表記の加算値ａ（９ａ）の値は接続具ａ（７ａ）の値が３メートルなので３メートルを加えた４．５メートルとなり、同様に加算値ｂ（９ｂ）の値は接続具ｂ（７ｂ）の値が６メートルなので６メートルを加えた７．５メートルとなる様に、複数の加算値ａ（９ａ）や加算値ｂ（９ｂ）と共に目盛表記されています。
【００２３】
尚、図２の様に接続器（４）に接続具（７）を接続させて計測する場合に計測帯（３）の裏面の加算値（９）を上面にすると、接続器（４）のＶ字型凹部状の凹みが上向きになり、挿入されていた計測紐（２）が計測物（１３）に近付いて一直線上となって計測の精度を上げる構造となり、更に、計測物（１３）と計測紐（２）が係止部２（６）をサンドイッチ状に挟み込んで接続器（４）が接続具（７）から外れ難くい構造となっています。
【００２４】
また、計測帯（３）表面の目盛値（８）のメートル表示を図１の様に大文字の「Ｍ」を用いて表記し、同じ位置の計測帯（３）裏面の加算値（９）のメートル表示を図４の様に小文字の「ｍ」を用いて区別すると両者の見間違いを防止する事ができます。更に、加算値（９）表記の余白地に「加算値」と複数表記すると、より一層見間違いを防止します。
【実施例３】
【００２５】
本例は本願の請求項３の一例で、例えば係止部１（５）から接続具ａ（７ａ）の間の計測紐（２）の色を白色で、接続具ａ（７ａ）から接続具ｂ（７ｂ）の間の計測紐（２）の色を青色とし、接続具ｂ（７ｂ）から後方の色を赤色として其々の異なる色の境目で接続具ａ（７ａ）や接続具ｂ（７ｂ）の位置が簡単に確認できる構造となっています。
【００２６】
更に、加算値ａ（９ａ）を青色で表記し、同様に加算値ｂ（９ｂ）を赤色で表記して、接続器（４）に接続具ａ（７ａ）を接続すれば、図２の様に計測帯（３）と重なる計測紐（２）の色が青色となるので、図３の様に計測帯（３）の裏面の青色の加算値ａ（９ａ）を読み取ると複数の加算値を設けていても容易に正確な計測値を得る事ができます。
【００２７】
同様に計測箇所が６メートルを超える場合は、接続器（４）と接続具ｂ（７ｂ）を接続させると計測帯（３）と重なる計測紐（２）の色が赤色となるので、計測帯（３）の裏面の赤色の加算値ｂ（９ｂ）を読み取ると容易に正確な計測値を得る事ができます。
【実施例４】
【００２８】
以上の様に実施例１および実施例２あるいは実施例３の本発明の計測紐付き巻尺の使用方法は本願の請求項４の一例で、計測紐（２）と計測帯（３）を接続させて計測すると計測帯（３）の計測距離以上でも計測紐（２）の長さ以下の距離であれば、従来の小型巻尺の様に分割して計測する事なく一度で容易に計測できる計測紐付き巻尺の使用方法です。
【００２９】
計測終了後の計測帯（３）の収納方法は、従来のコンベックスメジャーと同様に収納ボタン（１０）を押してゼンマイ等の力を用いて巻尺本体（１）の内部にロール状に巻き込んで収納します。計測紐（２）も同様の収納方法も可能ですが、図４の計測紐（２）の巻き取り機構の説明図の様にハンドル（１１）を回して収納リール（１２）に巻き取ると簡単に収納でき、紐状なので計測帯（３）に比べると収納容積が随分小さくてすみます。
【００３０】
本発明の計測紐付き巻尺で、従来の３メートルの巻尺と比べても巻尺本体（１）の大きさは計測紐（２）の収納部分の幅が若干広いだけで、その為、従来の５メートルの巻尺と比べても計測範囲が倍近くあるのに比べて収納幅が多少大きくなるものの収納容積の大きさは余り変わらず、巻尺の本体が携帯性を損なう事の無い大きさに収まります。
【産業上の利用可能性】
【００３１】
本実施例の様に３メートルの計測帯（３）に９メートルの計測紐（２）を設けた巻尺や、５メートルの計測帯（３）に１５メートルの計測紐（２）を設けた巻尺と言う様に幾つかの種類を設けると、仕事や計測物の種類により頻繁に計測する長さに近い計測帯（３）を持つ巻尺を選び、やむなく計測帯（３）の長さを超え計測紐（２）以下の計測物の計測には計測紐（２）に計測帯（３）を接続させて一回で容易に計測する事ができます。
【００３２】
本発明の計測紐付き巻尺を用いると、仕事の状況や計測物により計測紐（２）の長さを変えたり接続具（７）の数を多くしたりして仕事に合わせた仕様に設定でき、他の作業道具と持ち合わせても邪魔に成らない程度の携帯性で多くの職種で活用する事ができます。
【００３３】
また、便宜上、加算値（９）を計測帯（３）の裏面に設けた構成で説明してきましたが、上記の様に接続具（７）の数を増やし、加算値（９）の数が多くて計測帯（３）の裏面表記で容易に正確な計測値を読み取る事が困難な時などは、加算値（９）の一部を目盛値（８）と混乱する事の無い様に区別して計測帯（３）の表面に表記する事も可能です。
【００３４】
更に、本発明の趣旨を説明し易くする為に、計測値の取得を単に目盛値（８）や加算値（９）の計測値と表現しておりますが、正確な計測値の取得には目盛値（８）や加算値（９）の値を基に、計測帯（３）に表記された目盛から従来と同様に目盛の値も取得する必要がある事は言うまでもありません。
【図面の簡単な説明】
【００３５】
【図１】本発明の計測紐付き巻尺の実施説明図。
【図２】接続器（４）と接続具（７）の接続図。
【図３】複数加算値（９）の読み取り説明図。
【図４】計測紐（２）の巻き取り機構の説明図。
【符号の説明】
【００３６】
１    巻尺本体
２    計測紐
３    計測帯
４    接続器
５    係止部１
６    係止部２
７    接続具
７ａ  接続具ａ
７ｂ  接続具ｂ
８    目盛値
９    加算値
９ａ  加算値ａ
９ｂ  加算値ｂ
１０    収納ボタン
１１    ハンドル
１２    収納リール
１３    計測物
【図１】
2008026094.tif 000003
【図２】
2008026094.tif 000004
【図３】
2008026094.tif 000005
【図４】
2008026094.tif 000006